【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
（ａ）１６〜９５モル％の陽イオン構造単位（Ａ）、
（ｂ）５〜５５モル％のマクロモノマーの構造単位（Ｂ）、及び
（ｃ）８０モル％までの構造単位（Ｃ）、
（ｄ）８０モル％までの構造単位（Ｃ）とは異なる構造単位（Ｄ）
から成るコポリマーにおいて、ここで構造単位（Ａ）が、下記一般式（Ｉ）及び／又は（ＩＩ）
【化１】
2014503455.tif 000001
［式中、Ｒ１は同一又は異なるものであり、水素及び／又はメチル基を表し、
【化２】
2014503455.tif 000002
であり、Ｒ３、Ｒ４及びＲ５は各々同一又は異なるものであり、相互に無関係に各々水素、Ｃ原子１〜２０個を有する脂肪族炭化水素基、Ｃ原子５〜８個を有する脂環式炭化水素基及び／又はＣ原子６〜１４個を有するアリール基又はポリエチレングリコール（ＰＥＧ）を表し、Ｙは同一又は異なるものであり、酸素、−ＮＨ及び／又は−ＮＲ３を表し、Ｖは同一又は異なるものであり、−（ＣＨ２）ｘ−、
【化３】
2014503455.tif 000003
を表し、ここでｘは同一又は異なるものであり、１〜６の整数を表し、Ｘは同一又は異なるものであり、ハロゲン原子、Ｃ１−〜Ｃ４−アルキルスルフェート及び／又はＣ１−〜Ｃ４−アルキルスルホネートを表す］の少なくとも一つの単位を有する、コポリマー。
【請求項２】
コポリマーが陽イオン構造単位（Ａ）を２０〜９５モル％、特に有利には４０〜８０モル％の割合で含有し及び／又はマクロモノマーの構造単位（Ｂ）を１０〜４０モル％の割合で含有することを特徴とする、請求項１に記載のコポリマー。
【請求項３】
構造単位（Ａ）が、モノマー種［２−（アクリロイルオキシ）−エチル］−トリメチル−アンモニウムクロリド、［２−（アクリロイルアミノ）−エチル］−トリメチル−アンモニウムクロリド、［２−（アクリロイルオキシ）−エチル］−トリメチル−アンモニウムメトスルフェート、［２−（メタクリロイルオキシ）−エチル］−トリメチルアンモニウム−クロリド又は−メトスルフェート、［３−（アクリロイルアミノ）−プロピル］−トリメチルアンモニウムクロリド、［３−（メタクリロイルアミノ）−プロピル］−トリメチルアンモニウムクロリド及び／又はジアリルジメチルアンモニウムクロリド（ＤＡＤＭＡＣ）の少なくとも一つから選択した重合生成物であることを特徴とする、請求項１又は２のいずれか１項に記載のコポリマー。
【請求項４】
マクロモノマーの構造単位（Ｂ）が、ポリマー中で一般式（ＩＩＩａ）及び／又は（ＩＩＩｂ）：
【化４】
2014503455.tif 000004
［式中、Ｒ６、Ｒ７並びにＲ８は、各々同一又は異なるものであり、相互に無関係にＨ及び／又は非分枝鎖状の又は分枝鎖状のＣ１−Ｃ４アルキル基を表し、Ｅは同一又は異なるものであり、非分枝鎖状の又は分枝鎖状のＣ１−Ｃ６アルキレン基、シクロヘキシル基、ＣＨ２−Ｃ６Ｈ１０、オルト、メタ又はパラ置換されて存在するＣ６Ｈ４及び／又は存在しない単位を表し；Ｇは同一又は異なるものであり、Ｏ、ＮＨ及び／又はＣＯ−ＮＨを表すが、その際Ｅが存在しない単位である場合には、Ｇはまた存在しない単位であるという条件である；Ａは同一又は異なるものであり、ＣｘＨ２ｘ（ｘ＝２、３、４及び／又は５、有利にはｘ＝２）及び／又はＣＨ２ＣＨ（Ｃ６Ｈ５）を表し；ｎは同一又は異なるものであり、０、１、２、３、４及び／又は５を表し；ａは同一又は異なるものであり、５〜３５０（有利には１０〜２００）の整数を表し；Ｒ９は同一又は異なるものであり、Ｈ、非分枝鎖状の又は分枝鎖状のＣ１−Ｃ４アルキル基、ＣＯ−ＮＨ２及び／又はＣＯＣＨ３を表す］；
【化５】
2014503455.tif 000005
［式中、Ｒ３は前記したものを表し、ＰＥＧの場合にはこれは５〜３５０、有利には１０〜２００個の酸化エチレン単位を有する］により表されることを特徴とする、請求項１から３までのいずれか１項に記載のコポリマー。
【請求項５】
構造単位（Ｂ）が一般式（ＩＶ）：
【化６】
2014503455.tif 000006
［式中、Ｚは同一又は異なるものであり、−ＣＯＯ（ＣｍＨ２ｍＯ）ｎ−Ｒ１０を表し、ここでＲ１０は同一又は異なるものであり、Ｈ及び／又はＣ１−〜Ｃ４−アルキル基を表し、その際Ｒ１は前記したものを表し、ｍ＝２、３、４又は５、有利には２、ｎ＝０〜３５０、有利には１０〜２００である］により表されることを特徴とする、請求項１から４までのいずれか１項に記載のコポリマー。
【請求項６】
構造単位（Ｂ）が、アリルポリエチレングリコール−、メチルポリエチレングリコール−モノビニルエーテル、イソプレニルポリエチレングリコール、ポリエチレングリコール−ビニルオキシ−ブチルエーテル、ポリエチレングリコール−ブロック−プロピレングリコール−ビニルオキシ−ブチルエーテル、メチルポリエチレングリコール−ブロック−プロピレングリコールアリルエーテル、ポリエチレングリコール−メタクリレート及び／又はメチルポリエチレングリコール−ブロック−プロピレングリコールアリルエーテルの系から選択したモノマー種の少なくとも一つであることを特徴とする、請求項１から５までのいずれか１項に記載のコポリマー。
【請求項７】
構造単位（Ｃ）を、下記一般式（Ｖａ）及び／又は（Ｖｂ）及び／又は（Ｖｃ）
【化７】
2014503455.tif 000007
［式中、Ｒ１１は同一又は異なるものであり、Ｈ及び／又は非分枝鎖状の又は分枝鎖状のＣ１−Ｃ４基を表し；Ｗは同一又は異なるものであり、Ｏ及び／又はＮＨを表し；Ｒ１２は同一又は異なるものであり、非分枝鎖状の又は分枝鎖状のＣ１−Ｃ５−モノヒドロキシアルキル基を表す］：
【化８】
2014503455.tif 000008
［式中、Ｒ１１は前記したものを表し、Ｘは同一又は異なるものであり、ＮＨ−（ＣｎＨ２ｎ）（ｎ＝１、２、３又は４）及び／又はＯ−（ＣｎＨ２ｎ）（ｎ＝１、２、３又は４）及び／又は存在しない単位を表し；Ｒ１３は同一又は異なるものであり、ＯＨ、ＳＯ３Ｈ、ＰＯ３Ｈ２、Ｏ−ＰＯ３Ｈ２及び／又はパラ置換されたＣ６Ｈ４−ＳＯ３Ｈを表すが、その際Ｘが存在しない単位である場合には、Ｒ１３はＯＨを表すという条件である］
【化９】
2014503455.tif 000009
［式中、Ｒ１４、Ｒ１５及びＲ１６は各々同一又は異なるものであり、各々相互に無関係にＨ及び／又は非分枝鎖状の又は分枝鎖状のＣ１−Ｃ４アルキル基を表し；ｎは同一又は異なるものであり、０、１、２、３及び／又は４を表し；Ｒ１７は同一又は異なるものであり、（Ｃ６Ｈ５）、ＯＨ及び／又は−ＣＯＣＨ３を表す］を有するものから選択した少なくとも一つのモノマー種の重合生成物から選択することを特徴とする、請求項１から６までのいずれか１項に記載のコポリマー。
【請求項８】
コポリマーが付加的に一般式（ＶＩ）
【化１０】
2014503455.tif 000010
［式中、Ｒ１、Ｒ３及びＲ４は各々前記したものを表すか又はジアリルアミン−ポリエチレングリコールを表す］で表される構造単位（Ｄ）を含有することを特徴とする、請求項１から７までのいずれか１項に記載のコポリマー。
【請求項９】
構造単位（Ｄ）がアクリルアミド、メタクリルアミド、Ｎ−メチルアクリルアミド、Ｎ，Ｎ−ジメチルアクリルアミド、Ｎ−エチルアクリルアミド、Ｎ−シクロヘキシルアクリルアミド、Ｎ−ベンジルアクリルアミド、Ｎ−メチロールアクリルアミド及び／又はＮ−第三級ブチルアクリルアミドの系から選択したモノマー種の少なくとも一つを表すことを特徴とする、請求項１から８までのいずれか１項に記載のコポリマー。
【請求項１０】
構造単位（Ｄ）が下記一般式（ＶＩＩ）
【化１１】
2014503455.tif 000011
［式中、Ｓは同一又は異なるものであり、−ＣＯＯＭｋを表し、ここでＲ１は前記したものを表し、Ｍは水素、アルカリ−、アルカリ土類金属−、アルカリ土類金属イオンの系からの陽イオンを表し、ｋ＝価数である］により表されることを特徴とする、請求項１から９までのいずれか１項に記載のコポリマー。
【請求項１１】
構造単位（Ｄ）が、アクリル酸、アクリル酸ナトリウム、メタクリル酸及び／又はメタクリル酸ナトリウムの系から選択したモノマー種の少なくとも一つであることを特徴とする、請求項１から１０までのいずれか１項に記載のコポリマー。
【請求項１２】
コポリマーが付加的に４０モル％までの、有利には０．１〜３０モル％の構造単位（Ｅ）を含有し、これが一般式（ＶＩＩＩ）
【化１２】
2014503455.tif 000012
［式中、Ｗは同一又は異なるものであり、−ＣＯ−Ｏ−（ＣＨ２）ｘを表し、Ｒ１、Ｒ３、Ｒ４は各々前記したものを表し、ｘ＝１〜６の整数、有利には２又は３である］により表されることを特徴とする、請求項１から１１までのいずれか１項に記載のコポリマー。
【請求項１３】
付加的な構造単位（Ｅ）が、［３−（メタクリロイルアミノ）−プロピル］−ジメチルアミン、［３−（アクリロイルアミノ）−プロピル］−ジメチルアミン、［２−（メタクリロイル−オキシ）−エチル］−ジメチルアミン、［２−（アクリロイル−オキシ）−エチル］−ジメチルアミン、［２−（メタクリロイル−オキシ）−エチル］−ジエチルアミン及び／又は［２−（アクリロイル−オキシ）−エチル］−ジエチルアミンの系から選択したモノマー種の少なくとも一つであることを特徴とする、請求項１２に記載のコポリマー。
【請求項１４】
コポリマーが構造単位（Ａ）及び（Ｂ）並びに場合により（Ｃ）、（Ｄ）及び（Ｅ）の他に下記一般式（ＩＸ）及び／又は（Ｘ）
【化１３】
2014503455.tif 000013
［式中、Ｒ１１は前記したものを表し、Ｚは同一又は異なるものであり、Ｏ及び／又はＮＨを表す］：
【化１４】
2014503455.tif 000014
［式中、Ｒ１１は前記したものを表し、Ｑ＝Ｏ又はＮＨであり、Ｒ１５は同一又は異なるものであり、Ｈ、（ＣｎＨ２ｎ）−ＳＯ３Ｈ（ｎ＝０、１、２、３又は４）、（ＣｎＨ２ｎ）−ＯＨ（ｎ＝０、１、２、３又は４）；（ＣｎＨ２ｎ）−ＰＯ３Ｈ２（ｎ＝０、１、２、３又は４）、（ＣｎＨ２ｎ）−ＯＰＯ３Ｈ２（ｎ＝０、１、２、３又は４）、（Ｃ６Ｈ４）−ＳＯ３Ｈ、（Ｃ６Ｈ４）−ＰＯ３Ｈ２、（Ｃ６Ｈ４）−ＯＰＯ３Ｈ２及び／又は（ＣｍＨ２ｍ）ｅ−Ｏ−（Ａ｀Ｏ）α−Ｒ１６（ｍ＝０、１、２、３又は４、ｅ＝０、１、２、３又は４、Ａ｀＝Ｃｘ´Ｈ２ｘ´（ｘ´＝２、３、４又は５）及び／又はＣＨ２Ｃ（Ｃ６Ｈ５）Ｈ−、α＝１〜３５０の整数、Ｒ１６は同一又は異なるものであり、非分枝鎖状の又は分枝鎖状のＣ１−Ｃ４アルキル基を表す）である］の構造単位（Ｆ）を含有することを特徴とする、請求項１から１３までのいずれか１項に記載のコポリマー。
【請求項１５】
無機結合剤、特に硫酸カルシウムをベースとする結合剤、有利には硫酸カルシウム半水和物、石膏又は無水石膏及び石灰を含有する水性建築材料系用の添加物としての請求項１から１４までのいずれか１項に記載のコポリマーの使用。
【請求項１６】
粘土成分のマスキング及び／又は分散用の請求項１５に記載の使用。
【請求項１７】
硫酸カルシウム含有懸濁液の製造における請求項１５又は１６のいずれか１項に記載の使用。
【請求項１８】
乾燥モルタル混合物、漆喰系における並びにボード形部材、特に石膏ボード、サーフェイサー及びいわゆる下地の製造における請求項１５から１７までのいずれか１項に記載の使用。
【請求項１９】
ポリカルボキシレートエーテル、ポリカルボキシレートエステル、燐含有重縮合生成物、ナフタリンスルホネート−ホルムアルデヒド−縮合生成物（“ＢＮＳ”）及びメラミンスルホネート−ホルムアルデヒド−縮合生成物（“ＭＳＦ”）タイプの少なくとも一つのその他の分散剤と組合せた請求項１５から１８までのいずれか１項に記載の使用。
【請求項２０】
請求項１から１４までのいずれか１項に記載のコポリマー並びに場合によりキレート化剤、即ち錯化剤、例えばエチレンジアミンテトラアセテート、ジエチレントリアミンペンタアセテート、ホスフェート、ホスホネート又は糖、酒石酸、コハク酸、クエン酸、グルコネート、マレイン酸、ポリアクリル酸及びその塩並びにＲｅｔａｒｄａｎ又はその混合物の系から選択した、硫酸カルシウムをベースとする建築材料系用の凝結遅延剤を、固体含量に対して最高１０質量％の配合物の有利な割合、特に２．０〜８．０質量％、特に有利には４．０〜６．５質量％の割合で含有する配合物。